(57)【要約】【課題】手軽に自由度の高い調節を行えるとともに、装置を小型化できるレンズ鏡筒を提供する。【解決手段】調節部９２を上下に移動させると、第２板バネ８０が第２長穴９０に沿ってスライド移動する。そして、このスライドにより第２板バネ８０と連結されたレンズ保持枠５０が、第１ガイドピン７０を中心に回転移動し、第３撮影レンズ５２が上下に移動する。また、調節部９２を左右に移動させると、第２板バネ８０が第２ガイドピン９４を中心に回動する。そして、この回動により第２板バネ８０と連結されたレンズ保持枠５０が、第１長穴７２に沿ってスライド移動し、第３撮影レンズ５２が左右に移動する。【選択図】        図７
2007071907.tif 000002
【特許請求の範囲】
【請求項１】
レンズ鏡筒内に設置されたレンズ保持枠を、このレンズ保持枠が設置されるレンズ光軸と垂直な設置面上で移動させてレンズ位置の調節を行うレンズ位置調節機構において、
前記レンズ保持枠の側部に設けられる第１のガイド部と、
前記第１のガイド部と前記設置面とに設けられ、該設置面上において、前記レンズ保持枠を該第１のガイド部と前記レンズ光軸とを結ぶ第１の方向に移動できるようにガイドし、かつそのガイド位置の周りで回転できるように支持する第１のガイド手段と、
前記設置面上で第１の方向と直交する第２の方向に設けられ、前記レンズ鏡胴の側面から露呈される調節部が一端部に設けられた調節部材と、
前記調節部材の他端部に設けられる第２のガイド部と前記設置面とに設けられ、該調節部材を第２の方向に移動できるようにガイドし、かつそのガイド位置の周りで回転できるように支持する第２ガイド手段と、
前記レンズ保持枠の側部であって、前記レンズ光軸を挟んで前記第１のガイド部に対向する位置に設けられる連係部と、
前記調節部材の調節部と第２ガイド部との間に設けられる中間部と前記連係部とに設けられ、前記設置面上において、該調節部材と前記レンズ保持枠とを回転自在に連係させる連係手段とを備え、
前記レンズ保持枠は、前記調節部が第１の方向に移動されて前記調節部材が第２のガイド手段の周りで回転されたときに、前記連係手段よって第１の方向に移動され、
前記調節部が第２の方向に移動されて前記調節部材が第２の方向に移動されたときには、前記連係手段によって第１のガイド手段の周りで回転されることを特徴とするレンズ位置調節機構。
【請求項２】
前記第１のガイド手段及び第２のガイド手段は、いずれか一方の部品に設けられ、移動方向に沿って長く形成された長穴と、他方に設けられ、前記長穴に挿入されるガイドピンとからなることを特徴とする請求項１記載のレンズ位置調節機構。
【請求項３】
前記第１のガイド部と前記連係部とを前記設置面に押し当て、前記レンズ保持枠を調節位置で保持する第１の付勢手段と第２の付勢手段とを設けたことを特徴とする請求項１または２記載のレンズ位置調節機構。
【請求項４】
前記調節部材を板バネによって形成し、前記第２の付勢手段として用いたことを特徴とする請求項３記載のレンズ位置調節機構。
【請求項５】
前記調節部は、前記レンズ鏡胴の側面を貫通するように形成された開口から露呈されるとともに、前記第１の方向及び第２の方向に移動されたときに、該レンズ鏡胴の側面から突出されないことを特徴とする請求項１ないし４いずれか記載のレンズ位置調節機構。
【請求項６】
レンズが保持されるレンズ保持枠と、
このレンズ保持枠が組み込まれるレンズ鏡胴と、
このレンズ鏡胴に設けられてレンズ保持枠が設置されるレンズ光軸と垂直な設置面と、
前記設置面上でレンズ保持枠を移動させてレンズ光軸に対するレンズの位置を調節するレンズ位置調節機構とを備えたレンズ装置において、
前記請求項１ないし５いずれか記載のレンズ位置調節機構を用いたことを特徴とするレンズ装置。
【請求項７】
前記レンズ位置調節機構によってレンズの位置を調節した後、前記レンズ保持枠と前記レンズ鏡胴とが接着剤によって接着されることを特徴とする請求項６記載のレンズ装置。
【請求項８】
請求項１〜５いずれか１つ記載のレンズ位置調節機構を備えたことを特徴とする光学装置。
【発明の詳細な説明】
【技術分野】
【０００１】
本発明は、レンズ鏡筒内に設置されたレンズ保持枠を、このレンズ保持枠が設置されるレンズ光軸と垂直な設置面上で移動させてレンズ位置の調節を行うレンズ位置調節機構、及び、このようなレンジ位置調節機構を備えたレンズ装置、並びに、光学装置に関するものである。
【背景技術】
【０００２】
撮影レンズによって結像された被写体像を、ＣＣＤやＣＭＯＳなどのイメージセンサによってデジタルな画像データとして取得するデジタルカメラが広く普及している。撮影レンズは複数枚のレンズから構成される。そして、各レンズはレンズ保持枠に組み込まれてレンズ鏡筒内に並べて配置される。
【０００３】
各レンズはそれぞれの中心（光軸）が撮影光軸に一致するように一直線上に並べられることが好ましいが、レンズ保持枠が取り付けられる取り付け部の精度などの問題から、各レンズの中心が撮影光軸からずれてしまうといった問題があった。このため、下記特許文献１に記載されているレンズ保持枠では、レンズ保持枠と、このレンズ保持枠が取り付けられる取り付け部との間に遊びを設け、レンズ位置を調節できるようにしている。
【０００４】
例えば、カメラに用いられるレンズ装置では、撮影レンズの前後にシャッタ装置や絞りなどが配置されているため、光軸方向からレンズ保持枠を移動させることができない。そこで、レンズ保持枠が納められたレンズ鏡胴の側面に、レンズ保持枠の側部を異なる角度位置からそれぞれ露呈させる複数の調節用開口を設け、ピンセットなどを用いて各調節用開口からレンズ保持枠を押しずらすことによってレンズ位置の調節を行えるようにしている。
【特許文献１】特開２００２−３１８３３５号公報
【発明の開示】
【発明が解決しようとする課題】
【０００５】
しかしながら、上述のように、様々な角度位置からレンズ保持枠の側部を押しずらす場合、装置やピンセットなどを持ち替えながら調節を行うため、調節が面倒であるとともに、調節に時間がかかってしまうといった問題があった。また、レンズ保持枠を直接動かすため、微調節が難しいといった問題もあった。
【０００６】
本発明は、上記背景を鑑みてなされたものであり、手軽に自由度の高い調節を行えるとともに、微調節が簡単なレンズ位置調節機構、及び、このようなレンジ位置調節機構を備えたレンズ装置、並びに、光学装置を提供することを目的としている。
【課題を解決するための手段】
【０００７】
上記目的を達成するために、本発明のレンズ鏡筒は、レンズ鏡筒内に設置されたレンズ保持枠を、このレンズ保持枠が設置されるレンズ光軸と垂直な設置面上で移動させてレンズ位置の調節を行うレンズ位置調節機構において、前記レンズ保持枠の側部に設けられる第１のガイド部と、前記第１のガイド部と前記設置面とに設けられ、該設置面上において、前記レンズ保持枠を該第１のガイド部と前記レンズ光軸とを結ぶ第１の方向に移動できるようにガイドし、かつそのガイド位置の周りで回転できるように支持する第１のガイド手段と、前記設置面上で第１の方向と直交する第２の方向に設けられ、前記レンズ鏡胴の側面から露呈される調節部が一端部に設けられた調節部材と、前記調節部材の他端部に設けられる第２のガイド部と前記設置面とに設けられ、該調節部材を第２の方向に移動できるようにガイドし、かつそのガイド位置の周りで回転できるように支持する第２ガイド手段と、前記レンズ保持枠の側部であって、前記レンズ光軸を挟んで前記第１のガイド部に対向する位置に設けられる連係部と、前記調節部材の調節部と第２ガイド部との間に設けられる中間部と前記連係部とに設けられ、前記設置面上において、該調節部材と前記レンズ保持枠とを回転自在に連係させる連係手段とを備え、前記レンズ保持枠は、前記調節部が第１の方向に移動されて前記調節部材が第２のガイド手段の周りで回転されたときに、前記連係手段よって第１の方向に移動され、前記調節部が第２の方向に移動されて前記調節部材が第２の方向に移動されたときには、前記連係手段によって第１のガイド手段の周りで回転されることを特徴としている。
【０００８】
前記第１のガイド手段及び第２のガイド手段は、いずれか一方の部品に設けられ、移動方向に沿って長く形成された長穴と、他方に設けられ、前記長穴に挿入されるガイドピンとからなることが好ましい。
【０００９】
また、前記第１のガイド部と前記連係部とを前記設置面に押し当て、前記レンズ保持枠を調節位置で保持する第１の付勢手段と第２の付勢手段とを設けることが好ましい。
【００１０】
さらに、前記調節部材を板バネによって形成し、前記第２の付勢手段として用いることが好ましい。
【００１１】
また、前記調節部は、前記レンズ鏡胴の側面を貫通するように形成された開口から露呈されるとともに、前記第１の方向及び第２の方向に移動されたときに、該レンズ鏡胴の側面から突出されないことが好ましい。
【００１２】
さらに、本発明のレンズ装置は、レンズが保持されるレンズ保持枠と、このレンズ保持枠が組み込まれるレンズ鏡胴と、このレンズ鏡胴に設けられてレンズ保持枠が設置されるレンズ光軸と垂直な設置面と、前記設置面上でレンズ保持枠を移動させてレンズ光軸に対するレンズの位置を調節するレンズ位置調節機構とを備えたレンズ装置において、前述したようなレンズ位置調節機構を用いたことを特徴としている。
【００１３】
前記レンズ位置調節機構によってレンズの位置を調節した後、前記レンズ保持枠と前記レンズ鏡胴とが接着剤によって接着されることが好ましい。
【００１４】
また、上述したレンズ位置調節機構を用いて光学装置を構成してもよい。
【発明の効果】
【００１５】
本発明のレンズ鏡筒は、レンズ鏡胴の側面から露呈された調節部を移動させることによって、レンズ保持枠を互いに直交する第１、第２の２つの方向へ移動できるため、様々な角度位置からレンズ保持枠の側部を押しずらす場合と比較して、調節が簡単である。
【００１６】
また、調節部材は、第２ガイド手段と調節部との間の中間部が、レンズ保持枠と連係されている。さらに、レンズ保持枠は、レンズ光軸を挟んで対向する位置に第１ガイド部と調節部材に連係される連係部とが設けられている。これにより、調節部を移動させた際に、調節部の移動量の約半分だけレンズ保持枠が移動するため微調節をし易い。
【発明を実施するための最良の形態】
【００１７】
図１及び図２に本発明のレンズ鏡筒を搭載したデジタルカメラの外観を示す。デジタルカメラ２の前面には、その中央上部にストロボ光を照射するストロボ発光部３が設けられ、その横には撮影開口４が設けられている。撮影開口４からはデジタルカメラ２の内部に配されたレンズ鏡筒５のレンズが露呈される。デジタルカメラ２の上面には電源ボタン６とレリーズボタン７とが配されている。レリーズボタン７を押圧操作することにより、１フレーム分の静止画の撮影が行われ、この撮影で得られる画像データがデジタルカメラに装着されたメモリカード８（図３参照）に記録される。
【００１８】
図２に示すように、デジタルカメラ２の背面には、ＬＣＤ（液晶ディスプレイ）１０、ズームタイプのレンズ鏡筒５を望遠側、広角側にズーミング（変倍）させるズームボタン１１、デジタルカメラ２の各種操作及び設定を行うカーソルボタン１２を配してある。ＬＣＤ１０に表示されるメニューを見ながらカーソルボタン１２を操作して指示を与えることで、撮影モードと再生モードの切替え、ストロボ発光のオン／オフなどの各種設定を行うことができる。
【００１９】
ＬＣＤ１０は、撮影モード下では、撮影中の被写体像を動画のスルー画像として表示し、ユーザはこのスルー画像を観察することで撮影範囲を知ることができる。また、再生モード下では、メモリカード８に記録されている画像を選択してＬＣＤ１０に表示することができる。
【００２０】
上記デジタルカメラ２の電気的構成を図３に示す。ＣＰＵ１５は、レリーズボタン７，ズームボタン１１，カーソルボタン１２からの操作信号に基づいて、デジタルカメラ２の各部を制御する。ＣＰＵ１５は、ＲＯＭ１５ａ，ＲＡＭ１５ｂを内蔵している。ＲＯＭ１５ａには、撮影シーケンスなど各種シーケンスのプログラムを格納してあり、このプログラムにしたがってＣＰＵ１５は各部を制御する。ＲＡＭ１５ｂは、ＣＰＵ１５が各種シーケンスを制御する際の作業用メモリとして用いられる。
【００２１】
駆動回路１７は、レンズ鏡筒５に組み付けられたズームやピント調節用のモータ、シャッタ装置のアクチュエータ等をＣＰＵ１５の制御下で駆動する。固体撮像素子であるＣＣＤイメージセンサ１８は、その受光面にレンズ鏡筒５を透過した被写体光が入射し、その被写体像をアナログの撮影信号に変換して出力する。この例では、ＣＣＤイメージセンサ１８を用いて撮影を行うが、イメージセンサとしては、これに限らず、例えばＣＭＯＳ型のイメージセンサを用いてもよい。
【００２２】
信号処理部１９は、撮影モード下では、撮影信号に対してノイズ除去、増幅，画像データへの変換処理を行ってから、ホワイトバランス、γ補正を行い、処理済みの画像データを順次にＬＣＤドライバ２１に送る。これにより、撮影中の被写体像がスルー画像としてＬＣＤ１０に表示される。撮影モード下でレリーズボタン７が押圧操作されると、信号処理部１９は、その直後の撮影で得られる１フレーム分の画像データをデータ圧縮した後にインタフェース回路２２を介してメモリカード８に記録する。なお、記録媒体としては、メモリカードに限らず、各種のものを用いることができ、またデジタルカメラ２の内部メモリに画像データを記録してもよい。
【００２３】
再生モード下では、インタフェース回路２２によってメモリカード８から画像データを読み出し、信号処理部１９で各種処理を施してからＬＣＤドライバ２１に送る。これにより、メモリカード８に記録されている画像がＬＣＤ１０に表示される。
【００２４】
信号処理部１９には，画像データに基づいて被写体輝度の検出と、画像データのコントラストの検出とを行う回路を備えており、検出した被写体輝度とコントラストの情報をそれぞれＣＰＵ１５に送る。ＣＰＵ１５は、信号処理部１９からの被写体輝度情報に基づいてシャッタ速度，絞りを制御し、コントラスト情報に基づいてピント調節の制御を行う。
【００２５】
図４に示すように、レンズ鏡筒５は、上部鏡筒３０と、下部鏡筒３２とから構成される。これら上部鏡筒３０と下部鏡筒３２とは、組み合わせられた後、例えば、ネジなどにより固定される。上部鏡筒３０内にはシャッタ装置３４や、第１撮影レンズ群３６が組み込まれている。第１撮影レンズ群３６は、レンズ３６ａ〜３６ｆの６枚のレンズから構成される。これら各レンズ３６ａ〜３６ｆは、各レンズ３６ａ〜３６ｆの光軸（中心）が、撮影光軸３８に一致するように位置決めされて、上部鏡筒３０内に配置される。
【００２６】
レンズ３６ａは、デジタルカメラ２の前面に露呈され、被写体光をレンズ鏡筒５内に取り込む。レンズ３６ａの背後には、プリズム４０が配置されている。プリズム４０は、レンズ３６ａによってレンズ鏡筒５内に取り込まれた被写体光を下方へ向けて屈折させる。このプリズム４０によりレンズ鏡筒５の水平方向の長さを抑え、デジタルカメラ２を薄型化している。
【００２７】
レンズ３６ｂ、３６ｃは、固定レンズであり、プリズム４０の下方に配置される固定レンズホルダ４２によって保持される。レンズ３６ｄ、３６ｅ、３６ｆは、ズームレンズを構成する移動レンズであり、ズームレンズホルダ４４によって保持される。ズームレンズホルダ４４は、モータを含む移動機構（図示せず）と接続され、ズームボタン１１の操作に応じて、撮影光軸３８方向に移動される。これにより、ズーム倍率の変倍が行われる。
【００２８】
下部鏡筒３２内には、第２撮影レンズ群４６が組み込まれている。第２撮影レンズ群４６は、レンズ４６ａ〜４６ｃの３枚のレンズから構成される。これら各レンズ４６ａ〜４６ｃは、各レンズ４６ａ〜４６ｃの光軸（中心）が、撮影光軸３８と一致するように位置決めされて、下部鏡筒３２内に配置される。第２撮影レンズ群４６は、フォーカスレンズを構成する移動レンズであり、フォーカスレンズホルダ４８によって保持される。フォーカスレンズホルダ４８は、モータを含む移動機構（図示せず）と接続され、ピント調節を行う際に撮影光軸３８方向に移動される。ピント調節では、ピントが合っているほど得られる画像のコントラストが高いといった原理に基づき、スルー画のコントラストが最も高くなる位置へ第２撮影レンズ群４６が移動される。
【００２９】
また、レンズ鏡筒５には、これら上部鏡筒３０と下部鏡筒３２との間に挟まれるように、レンズ保持枠５０が配置され、このレンズ保持枠５０に第３撮影レンズ５２が組み込まれている。図５、図６に示すように、レンズ保持枠５０は、下部鏡筒３２の上面に形成された設置面５４上に配置される。設置面５４は撮影光軸３８に対して垂直に形成され、第３撮影レンズ５２は、そのレンズ面を撮影光軸３８と垂直にした状態で保持される。レンズ保持枠５０には、撮影光軸３８を挟んで対向する位置に、第１のガイド部５６、連係部５８が設けられている他、第１のガイド部５６、連係部５８と直交する位置に、接着部６０、６２が設けられている。
【００３０】
第１ガイド部５６の下面には撮影光軸３８と平行な第１ガイドピン７０が設けられている。また、設置面５４には、撮影光軸３８と垂直であり、かつ、第１のガイド部５６、連係部５８を結ぶ方向に長く形成された第１長穴７２が設けられており、この第１長穴７２に第１ガイドピン７０が挿通されている。これにより、第１ガイド部５６が設置面５４に連結され、レンズ保持枠５０は、第１ガイドピン７０を中心に回動自在であり、かつ、第１長穴７２に沿ってスライド自在となっている。
【００３１】
第１ガイド部５６の上面には第１板バネ７４が配置されている。第１板バネ７４は、第１ガイド部５６の上面を横切るように配置され、長手方向中央部が第１ガイド部５６の上面に当接し、長手方向両端部が下部鏡筒３２の側壁に設けられた開口７６、７８にそれぞれ嵌め込まれている。そして、第１板バネ７４は、第１ガイド部５６の上面と当接した長手方向中央部により、第１ガイド部５６を設置面５４に押し当てている。
【００３２】
連係部５８の上面には第１長穴７２の長手方向とは垂直な方向に長く形成された第２板バネ８０が配置されている。第２板バネ８０は、連係部５８の上面を横切るように配置され、長手方向中央部に設けられた開口８２に連係部５８の上面に立設された突起８４が嵌め込まれることによって、連係部５８と係合されている。そして、第２板バネ８０は、長手方向の両端が下部鏡筒３２の側壁に設けられた開口８６、８８にそれぞれ嵌め込まれ、長手方向中央部によって連係部５８を設置面５４に押し当てている。
【００３３】
また、第２板バネ８０は、連係部５８を設置面５４へ押し当てる付勢部材として機能する以外に、係合されたレンズ保持枠５０を移動させ、第３撮影レンズ５２の位置調節行うための調節部材としての機能も有する。このため、第２板バネ８０には、開口８２を挟んで、第２ガイド部８９と、調節部９２とが形成されている。
【００３４】
第２ガイド部８９には、第１長穴７２の長手方向とは垂直な方向に長く形成された第２長穴９０が設けられている。そして、第２長穴９０には、設置面５４に立設された第２ガイドピン９４が挿通される。これにより、第２板バネ８０は、第２ガイドピン９４を中心に回動自在であり、かつ、第２長穴９０に沿ってスライド自在となっている。
【００３５】
調節部９２は、開口８８から露呈されている。調節部９２は、第３撮影レンズ５２の位置調節を行う際に用いられる調節用工具にて把持し易いように、両側部にくびれが形成されている。また、調節部９２は、下部鏡筒３２の表面の凹凸を無くし下部鏡筒３２をコンパクトなものにするため、開口８８の内側部分に配置され、下部鏡筒３２から突出しないようになっている。
【００３６】
図７（Ａ）、（Ｂ）に示すように、調節部９２を図中上下に移動させると、第２板バネ８０が第２長穴９０に沿ってスライド移動する。そして、このスライドにより第２板バネ８０と連結されたレンズ保持枠５０が、第１ガイドピン７０を中心に回転移動し、第３撮影レンズ５２が図中上下に移動する。第３撮影レンズ５２は、レンズ保持枠５０が第２板バネ８０と連結された連係部５８と、第１ガイドピン７０とのほぼ中間に配置されている。このため、調節部９２を図中上下に移動させることで、第３撮影レンズ５２は、連係部５８の移動量の約半分、すなわち、調節部９２の移動量の約半分だけ図中上下に移動する。
【００３７】
また、図８（Ａ）、（Ｂ）に示すように、調節部９２を図中左右に移動させると、第２板バネ８０が第２ガイドピン９４を中心に回動する。そして、この回動により第２板バネ８０と連結されたレンズ保持枠５０が、第１長穴７２に沿ってスライド移動し、第３撮影レンズ５２が図中左右に移動する。第２板バネ８０は、第２ガイドピン９４と調節部９２のほぼ中間である長手方向中央部がレンズ保持枠５０と連結されている。このため、調節部９２を図中左右に移動させることで、第３撮影レンズ５２は、第２板バネ８０の長手方向中央部の移動量に対応した量、すなわち、調節部９２の移動量の約半分だけ図中左右に移動する。
【００３８】
接着部６０、６２は、下部鏡筒３２の側壁に設けられた開口１００、１０２から露呈されている。開口１００、１０２は、レンズ保持枠５０の移動を妨げないように余裕を持たせた大きさに形成されている。そして、前述のように第３撮影レンズ５２を移動させて位置調節が行われた後、開口１００、１０２から接着剤が注入され、接着部６０、６２が下部鏡筒３２に接着されて、レンズ保持枠５０が固定される。
【００３９】
以下、上記構成による本発明の作用について説明する。レンズ鏡筒５を組み立てる際には、第３撮影レンズ５２を保持したレンズ保持枠５０を、第１板バネ７４と第２板バネ８０とにより押さえつけるようにして、設置面５４に取り付ける。この後、レンズ保持枠５０を挟み込んだ状態で、下部鏡筒３２と上部鏡筒３０とを組み合わせてネジ止めする。
【００４０】
上述のようにレンズ鏡筒５が組み上げられた後、第３撮影レンズ５２の中心を撮影光軸３８に一致させるように、第３撮影レンズ５２が移動されて位置調節が行われる。第３撮影レンズ５２の位置調節は、下部鏡筒３２の開口８８内に露呈された調節部９２を、調節用工具にて把持し、撮影光軸３８と垂直な面内で移動させることによって行われる。第３撮影レンズ５２の位置調節が完了した後は、開口１００、１０２から接着剤が注入され、レンズ保持枠５０が下部鏡筒３２に固定される。
【００４１】
このように、調節部を移動させることによって、レンズを複数方向へ移動できるため、様々な角度位置からレンズ保持枠の側部を押しずらす場合と比較して、調節が簡単である。さらに、撮影レンズは、調節部の移動方向に対応した方向に、調節部の移動量の約半分だけ移動するので、微調節を行う際に便利である。
【００４２】
また、レンズ保持枠を板バネによって下部鏡筒に押しつけるようにしたので、調節の際にレンズ保持枠がガタついてしまうこともなく、確実な調節を行える。さらに、この板バネを調節部材として兼用するようにしたので、板バネと調節部材とを別個に設ける場合と比較して装置の大型化を抑えることができる。
【００４３】
なお、レンズ鏡筒の具体的な構成については、上記実施形態に限らず適宜変更することができる。例えば、上記実施形態では、レンズ鏡筒内の１枚のレンズの配置位置を調節する例で説明をしたが、これに限定されず、複数枚のレンズの配置位置を調節するようにしてもよい。
【図面の簡単な説明】
【００４４】
【図１】デジタルカメラの前面側外観図である。
【図２】デジタルカメラの背面側外観図である。
【図３】デジタルカメラの構成を表すブロック図である。
【図４】レンズ鏡筒の断面図である。
【図５】下部鏡筒にレンズ保持枠を取り付けた状態を表す説明図である。
【図６】下部鏡筒からレンズ保持枠を取り外した状態を表す分解図である。
【図７】調節部を調節部材の長手方向へ移動させた際の第３レンズの移動の様子を表す説明図である。
【図８】調節部を第１ガイド部と連係部を結ぶ方向へ移動させた際の第３レンズの移動の様子を表す説明図である。
【符号の説明】
【００４５】
２  デジタルカメラ
５  レンズ鏡筒
３０  上部鏡筒
３２  下部鏡筒
３８  撮影光軸
５０  レンズ保持枠
５２  第３撮影レンズ
５４  設置面
５６  第１ガイド部
５８  連係部
６０、６２  接着部
７０  第１ガイドピン
７２  第１長穴
７４  第１板バネ
７６、７８、８２、８６、８８、１００、１０２  開口
８０  第２板バネ
８４  突起
８９  第２ガイド部
９０  第２長穴
９２  調節部
９４  第２ガイドピン
【図１】
2007071907.tif 000003
【図２】
2007071907.tif 000004
【図３】
2007071907.tif 000005
【図４】
2007071907.tif 000006
【図５】
2007071907.tif 000007
【図６】
2007071907.tif 000008
【図７】
2007071907.tif 000009
【図８】
2007071907.tif 000010